(57)【特許請求の範囲】
【請求項１】
一対のプレートでタイルの端面同士を把持したままこじって引き剥がすタイル剥離装置の前記プレートを差し込むための溝をタイル目地に沿って切削するタイル剥離装置用タイル目地切削装置であって、
回転するスピンドルを有する電動カッター本体と、この電動カッター本体のスピンドルに装着されたダイヤモンドカッターなどの回転刃と、この回転刃を覆うカバーと、を備え、
前記カバーには、前記回転刃に沿った前後方向の端部に前記スピンドルの軸方向に突出した突出片が前後一対固着され、
これらの前後一対の突出片には、前記溝を切削するタイル目地と隣接し、且つ、前記溝を切削するタイル目地と略平行な既存のタイル目地に嵌まり込んで前記電動カッター本体とともに切削進行方向にスライドしてガイドする断面逆台形状の定規が架け渡されて支持固定されていること
を特徴とするタイル剥離装置用タイル目地切削装置。
【請求項２】
前記定規は、前記突出片に前記回転刃からの離間距離が調整自在に取り付けられていること
を特徴とする請求項１に記載のタイル剥離装置用タイル目地切削装置。
【請求項３】
前記定規は、カムレバーにより締付又は弛緩自在に固定されて、前記突出片に前記回転刃からの離間距離が調整自在に取り付けられていること
を特徴とする請求項２に記載のタイル剥離装置用タイル目地切削装置。
【請求項４】
前記カバーには、前記回転刃と直交する板面を有するスライドプレートが取り付けられ、前記定規は、前記スライドプレートの前記板面より前記回転刃の半径方向外側に前記板面と略平行にずれて固定されていること
を特徴とする請求項１ないし３のいずれかに記載のタイル剥離装置用タイル目地切削装置。
【請求項５】
前記定規には、目盛が付けられていること
を特徴とする請求項１ないし４のいずれかに記載のタイル剥離装置用タイル目地切削装置。
【発明の詳細な説明】
【技術分野】
【０００１】
本発明は、既存建築物に貼り付けられたタイルを剥離するタイル剥離装置を使用するにあたって既存のタイル目地に沿ってダイヤモンドカッターなどの回転刃で貼付モルタルを切削して溝を形成するためタイル剥離装置用タイル目地切削装置に関するものである。
【背景技術】
【０００２】
従来、意匠性や耐久性が向上することからマンションやビルなどの建物の外壁等には、タイルを貼り付けて仕上げることが行われている。しかし、このようなタイルは、磁器質タイルや陶器質タイルなどの土を高温で焼成したものであり、同じ品番でも焼成する窯が違うだけで色合いが違ってしまうという問題があった。このため、建物を改修する際には、色見本として既存の建物からタイルを剥がし、新しく焼成するタイルの色合いを調整するということが行われている。また、既存のタイルに浮きや不具合が無いかを確認するためやその他の検査のために任意の箇所のタイルを剥がすことが行われている。
【０００３】
その上、歴史的・文化的に価値の高い既存建築物を改修したり移築したりする際には、建築物の外観の風合いを守るために、外壁タイルを剥がして再度使用するという要請が極めて高いものである。しかし、外壁タイルなどのタイルは、コンクリート構造物などの構造物にモルタルを介して貼り付けられるものであり、モルタルと接合する裏面が蟻足状となっていたりするため、タイルを破損することなく剥がすことが困難であるという問題があった。
【０００４】
このような問題を解決するべく、本願の出願人は、タイルを破損することなく剥がすことができるタイル剥離装置を提案した（特許文献１参照）。特許文献１に記載のタイル剥離装置は、上下一対のプレートの間隔を回動ボルトで調整自在な把持機構と、この回動ボルトの頭部に連結して締め付ける回動レバーと、を備え、前記把持機構でタイルの端面となる小口面を把持してタイルを剥がすものである。このため、タイルを破損することなく容易に剥がすことができるものである。
【０００５】
この特許文献１に記載のタイル剥離装置を使用するには、図１０に示すように、既成品の手持ち電動カッターにコンクリート切削用の乾式ダイヤモンドカッターなどの回転刃を装着し、既存のタイル目地Ｍ１に沿って貼付モルタルＭ３等を切削して溝Ｍ２を形成する必要があった。図１１，図１２に示すように、タイル剥離装置１０の把持機構２０の一対のプレート２２，２３を差し込むためである。
【０００６】
しかし、タイル目地Ｍ１の幅は、一般的に５ｍｍ程度しかなく、回転刃の厚さ自体も２〜３ｍｍ程度あり、既存のタイルＴに回転刃が接触して傷をつけることなく、手持ちの電動カッターで既存のタイル目地Ｍ１（特に、壁面）に沿って貼付モルタルＭ３等を切削することは困難であるという問題があった。このため、このような切削作業に熟練した熟練工が細心の注意を払って時間をかけて切削するしかなく、タイル剥離作業のコストアップの要因となっていた。
【先行技術文献】
【特許文献】
【０００７】
【特許文献１】特許第６１０８２５５号公報
【発明の概要】
【発明が解決しようとする課題】
【０００８】
そこで、本発明は、前述した問題に鑑みて案出されたものであり、その目的とするところは、熟練工でなくても誰でも簡単に回転刃が接触してタイルを破損することなくタイル目地に沿ってモルタル等に切削溝を形成することができるタイル剥離装置用タイル目地切削装置を提供することにある。
【課題を解決するための手段】
【０００９】
請求項１に係るタイル剥離装置用タイル目地切削装置は、一対のプレートでタイルの端面同士を把持したままこじって引き剥がすタイル剥離装置の前記プレートを差し込むための溝をタイル目地に沿って切削するタイル剥離装置用タイル目地切削装置であって、回転するスピンドルを有する電動カッター本体と、この電動カッター本体のスピンドルに装着されたダイヤモンドカッターなどの回転刃と、この回転刃を覆うカバーと、を備え、前記カバーには、前記回転刃に沿った前後方向の端部に前記スピンドルの軸方向に突出した突出片が前後一対固着され、これらの前後一対の突出片には、前記溝を切削するタイル目地と隣接し、且つ、前記溝を切削するタイル目地と略平行な既存のタイル目地に嵌まり込んで前記電動カッター本体とともに切削進行方向にスライドしてガイドする断面逆台形状の定規が架け渡されて支持固定されていることを特徴とする。
【００１０】
請求項２に係るタイル剥離装置用タイル目地切削装置は、請求項１に記載のタイル剥離装置用タイル目地切削装置において、前記定規は、前記突出片に前記回転刃からの離間距離が調整自在に取り付けられていることを特徴とする。
【００１１】
請求項３に係るタイル剥離装置用タイル目地切削装置は、請求項２に記載のタイル剥離装置用タイル目地切削装置において、前記定規は、カムレバーにより締付又は弛緩自在に固定されて、前記突出片に前記回転刃からの離間距離が調整自在に取り付けられていることを特徴とする。
【００１２】
請求項４に係るタイル剥離装置用タイル目地切削装置は、請求項１ないし３のいずれかに記載のタイル剥離装置用タイル目地切削装置において、前記カバーには、前記回転刃と直交する板面を有するスライドプレートが取り付けられ、前記定規は、前記スライドプレートの前記板面より前記回転刃の半径方向外側に前記板面と略平行にずれて固定されていることを特徴とする。
請求項５に係るタイル剥離装置用タイル目地切削装置は、請求項１ないし４のいずれかに記載のタイル剥離装置用タイル目地切削装置において、前記定規には、目盛が付けられていることを特徴とする。
【発明の効果】
【００１３】
請求項１〜５に記載の発明によれば、既存建築物に貼り付けられたタイルを剥離するタイル剥離装置を使用するにあたって、既存のタイル目地に沿って回転刃で貼付モルタルや目地モルタルを切削して溝を形成する際に、回転刃がタイルと接触して傷つけることなく誰でも簡単に施工することができる。
【００１４】
特に、請求項２に記載の発明によれば、定規が回転刃からの離間距離が調整自在に取り付けられているので、揺動する電動カッターの回転刃とカバーとの位置関係がずれたような場合でも、定規と回転刃との間隔を調整して既存のタイル目地に沿って溝を真っすぐに切削することができる。
【００１５】
特に、請求項３に記載の発明によれば、定規がカムレバーにより締付又は弛緩自在に固定されているので、定規と回転刃との間隔の調整が極めて短時間で行うことができる。
【００１６】
特に、請求項４に記載の発明によれば、プレートの板面と回転刃が直交した状態でタイル目地に定規を当てて貼付モルタル等を真っすぐに切削することができる。このため、回転刃がタイルと接触して傷つけるおそれをさらに低減することができ、誰でも簡単に施工することが可能となる。
特に、請求項５に記載の発明によれば、定規の目盛から逆算して、現在回転刃で切削している溝の端部と既存のタイルとの距離を確認することができる。このため、回転刃がタイルと接触して傷つけるおそれをさらに低減することができる。
【図面の簡単な説明】
【００１７】
【図１】図１は、本発明の第１実施形態に係るタイル剥離装置用タイル目地切削装置の全体構成を示す上方から見下ろした斜視図である。
【図２】図２は、同上のタイル目地切削装置を前方から見た斜視図である。
【図３】図３は、同上のタイル目地切削装置を下方から見上げた斜視図である。
【図４】図４は、同上のタイル目地切削装置を側方から見た右側面図である。
【図５】図５は、図４のタイル目地切削装置のカムレバー付近を拡大して示す部分拡大図である。
【図６】図６は、同上のタイル目地切削装置の突出片の変形例を示す斜視図である。
【図７】図７は、同上のタイル目地切削装置の使用状態を示す使用状態説明図である。
【図８】図８は、本発明の第２実施形態に係るタイル目地切削装置を示す下方から見上げた斜視図である。
【図９】図９は、同上のタイル目地切削装置の使用状態を示す使用状態説明図である。
【図１０】図１０は、タイル剥離装置の一対のプレートを差し込んで把持するための溝をタイル目地に沿って切削する工程を示す説明図であり、図１０（ａ）が目地切削前、図１０（ｂ）が目地切削後を示している。
【図１１】図１１は、タイル剥離装置のプレートでタイルの端面同士を把持してこじって回転させる状態を示す説明図である。
【図１２】図１２は、同上のタイル剥離装置でタイルを剥離した状態を示す説明図である。
【発明を実施するための形態】
【００１８】
以下、本発明に係るタイル剥離装置用タイル目地切削装置を実施するための一実施形態について、図面を参照しながら詳細に説明する。
【００１９】
［第１実施形態］
図１〜図５を用いて、本発明の第１実施形態に係るタイル剥離装置用タイル目地切削装置１（以下単にタイル目地切削装置という）について説明する。図１は、本発明の第１実施形態に係るタイル目地切削装置の全体構成を示す上方から見下ろした斜視図であり、図２は、同上のタイル目地切削装置を前方から見た斜視図である。また、図３は、同上のタイル目地切削装置を下方から見上げた斜視図であり、図４は、同上のタイル目地切削装置を側方から見た右側面図である。そして、図５は、図４のタイル目地切削装置のカムレバー付近を拡大して示す部分拡大図である。
【００２０】
本発明の第１実施形態に係るタイル目地切削装置１は、タイルを把持して既存構造物から引き剥がすタイル剥離装置１０（図１１，図１２参照）を使用するための前工程（前工事）として既存のタイル目地Ｍ１に沿って溝Ｍ２を切削して掘り下げるための装置である（図１０も参照）。
【００２１】
＜タイル剥離装置＞
先ず、図１０〜図１２を用いて、コンクリート構造物の壁面Ｗに貼り付けられた既存の壁面タイル及び本願の発明者らが特許文献１（特許第６１０８２５５号公報）として提案したタイル剥離装置１０について簡単に説明する。
【００２２】
図１０は、タイル剥離装置１０の一対のプレートを差し込んで把持するための溝Ｍ２をタイル目地Ｍ１に沿って切削する工程を示す説明図であり、図１０（ａ）が目地切削前、図１０（ｂ）が目地切削後を示している。また、図１１は、タイル剥離装置１０のプレートでタイルの端面同士を把持してこじって回転させる状態を示す説明図であり、図１２は、タイル剥離装置１０でタイルを剥離した状態を示す説明図である。
【００２３】
図１０（ａ）に示すように、タイルＴは、一般に、コンクリートが硬化した後にコンクリート構造物の壁面Ｗに貼付モルタルＭ３により貼り付けられ、その貼付モルタルＭ３が硬化した後、タイル目地Ｍ１に目地材Ｍ４が充填されている。
【００２４】
本願発明者らが提案したタイル剥離装置１０は、使用するための前工程として図１０（ｂ）に示すように、タイル目地Ｍ１に沿って溝Ｍ２をコンクリート構造物の壁面Ｗ近傍まで目地材Ｍ４及び貼付モルタルＭ３を切削して掘り下げる必要があった。従来は、この切削して掘り下げる工程を、乾式ダイヤモンドカッターからなる回転刃が装着された市販の手持ち電動カッターで行っていた。
【００２５】
このため、背景技術で述べたように、５ｍｍ程度しかないタイル目地Ｍ１に、厚さ２〜３ｍｍの回転刃を挿入して手持ちの電動カッターで切削することとなり、手振れ等により既存のタイルＴに回転刃が接触して傷を付けることなく切削することが困難であるという問題があった。
【００２６】
なお、図示するタイルＴは、コンクリート構造物からなる建物の外壁の壁面に貼り付けられた４５二丁掛けの外壁タイルを想定している。勿論、タイルＴは、４５二丁掛けの外壁タイルに限られず、大判の床タイルやその他のタイルにも適用できることは云うまでもない。
【００２７】
図１１，図１２に示すように、タイル剥離装置１０は、一対のプレートの間隔を回動ボルト２１で調整自在な把持機構２０と、この把持機構２０でタイルＴを把持する力が所定値に達したか否かを確認するトルクレンチ３０など、を備えている。また、タイル剥離装置１０は、把持機構２０に取り付けられた取っ手４０も備えている。
【００２８】
（把持機構）
把持機構２０は、上下一対のプレートである上プレート２２，下プレート２３と、これらの上プレート２２，下プレート２３に螺合して両者の間隔を調整する回動ボルト２１と、を備えている。この把持機構２０は、上プレート２２と下プレート２３との間にタイルＴを挟んで把持（挟持）する機構である。また、この把持機構２０は、これらの上プレート２２及び下プレート２３と回動ボルト２１との進退動をガイドするガイド機構（図示せず）も備えている。
【００２９】
（回動ボルト）
回動ボルト２１は、上プレート２２のボルト孔及び下プレート２３に装着された螺合部材に挿通されて両者を繋ぐとともに、回転することで外周面に形成されたねじ山により両者の間隔を拡大又は縮小して調整する機能を有している。
【００３０】
また、図１１に示すように、回動ボルト２１の下端部となる位置には、ばね材であるコイルスプリングＳがナットとワッシャーにより一端を止付けられて装着されている。つまり、下プレート２３の下面にコイルスプリングＳに当接してばねの反発力が付加された状態で回動ボルト２１と下プレート２３とが螺合されて接合されている。このため、コイルスプリングＳによる適度な付勢力（押圧力）が付与され、回動ボルト２１とナットが供回りして空回りすることを防止することができる。
【００３１】
［タイル目地切削装置］
図１に示すように、第１実施形態に係るタイル目地切削装置１は、市販の電動カッターである電動カッター本体２と、この電動カッター本体２を覆うカバー３と、を備えている。また、このカバー３には、間隔調整機構４を介して棒材からなる定規５が固定支持されている。
【００３２】
（電動カッター本体）
電動カッター本体２は、図３，図４に示すように、回転駆動するスピンドル２ａを有し、このスピンドル２ａに乾式ダイヤモンドカッターからなるドーナツ状の回転刃２ｂが装着されている。つまり、電動カッター本体２は、ドーナツ状の回転刃２ｂを回転して対象物に回転刃２ｂの外周面を当接して、その摩擦力で切削して切断等を行う回転式の市販の電動カッターである。
【００３３】
（カバー）
このカバー３は、図３，図４に示すように、主に回転刃２ｂを覆うように取り付けられた市販のカバーであり、回転刃２ｂで対象物を切削して発生する粉塵等が周囲に拡散しないようにする機能を有している。また、このカバー３には、図示しない集塵機（バキューム装置）に接続する排塵ダクト３ａが設けられている（図１参照）。
【００３４】
さらに、このカバー３には、図３に示すように、回転刃２ｂと直交する板面を有するスライドプレート３ｂが取り付けられている。このスライドプレート３ｂは、スライドプレート３ｂの板面をタイルＴの表面に当接して図１の矢印方向に滑らせて回転刃２ｂで切削して切削溝を形成していくためのものである。なお、このスライドプレート３ｂも通常、市販のカバー３に取り付けられているものである。
【００３５】
なお、図１に示すように、本明細書では、矢印で示すタイル目地切削装置１の切削進行方向を前方、その反対側を後方といい、切削進行方向右側を右、左側を左というものとする。勿論、タイル目地切削装置１の切削方向は、矢印方向にしか進めないというものではなく、便宜的に決めたに過ぎない。つまり、タイル目地切削装置１の切削方向は、切削しながら後方に進むこともできるし、前方・後方を繰り返しながら切削してもよいことは云うまでもない。
【００３６】
（間隔調整機構）
間隔調整機構４は、前後一対の突出片４１，４１と、これらの突出片４１，４１に長孔を介して長さ調整可能に取り付けられた前後一対の接続プレート４２，４２など、から構成されている。
【００３７】
図２に示すように、図示形態の突出片４１は、断面Ｌ字状のＬ型アングルからなり、このＬ型アングルが市販のカバー３の覗き窓の固定用の雌ねじ部を利用してカバー３の右側面からスピンドル２ａの軸方向の外側（右側）に突出するようにボルト止めされている。雌ねじ部が設けられている位置は、回転刃３ｂの切削状況を確認するための覗き窓の長手方向の端部なので、一対の突出片４１，４１は、回転刃２ｂに沿った前後方向の端部に突設されていることになる。
【００３８】
図示形態の接続プレート４２は、平板状の金属プレートからなり、突端（右側端）が定規５に接合されている。接続プレート４２と定規５との接合は、溶接でもよいし、接続プレート４２と定規５とを、一枚の金属プレートから切り出して曲げ加工することにより形成されていても構わない。要するに、接続プレート４２と定規５とが、接合方法は問わず強固に固着されていればよい。
【００３９】
また、図４，図５に示すように、第１実施形態に係るタイル目地切削装置１では、突出片４１，４１と接続プレート４２，４２とが、カムレバー４３，４３を介して接続固定されている。このカムレバー４３は、工具なしに、ねじを締め付けたり、緩めたり自在にできる機械式のレバーである。つまり、カムレバー４３は、レバーを押し下げることで、偏心カムでクランプ力を作用させて突出片４１，４１と接続プレート４２，４２とを固定し、レバーを引き上げることで、偏心カムでクランプ力を緩めて両者がスライド可能とする機能を有している。このため、間隔調整機構４の間隔調整が簡単に極めて短時間で行うことができる。
【００４０】
なお、前後一対の突出片４１，４１は、図６に示すように、１つの鋼材から曲げ加工されて形成された一続きの突出片体４４となっていても構わない。下部に前後一対の突出片４１，４１が形成されていることは変わりないからである。図６は、タイル目地切削装置１の突出片の変形例を示す斜視図である。
【００４１】
（定規）
定規５は、タイル目地に嵌まり込む所定幅の直線状の棒材であり、タイルの目地の間隔に応じた所定距離平行に回転刃２ｂと離間するように、間隔調整機構４で調整されて、接続プレート４２，４２間に架け渡されている。図２に示すように、定規５は、図示形態では、下方（既存タイル側の方向）がやや狭くなった断面逆台形状となっており、目地幅が５ｍｍの場合、定規５の下辺の幅は４．５ｍｍに設定されている。
【００４２】
この定規５は、断面逆台形状がタイルの目地に嵌まり込んでスライドさせることで、タイル１枚分離間した回転刃２ｂの切削方向をタイルの目地に沿って真っすぐにガイドする機能を有している。このため、タイル目地切削装置１によれば、手振れにより手持ちの電動工具を使用するのが困難な壁面作業においても、５ｍｍ程度しかないタイル目地Ｍ１に、厚さ２〜３ｍｍの回転刃２ｂを挿入してタイル目地切削装置１でブレることなく真っすぐに壁面Ｗ近傍まで貼付モルタルＭ３に所定深さの溝Ｍ２を切削することができる（図１０も参照）。
【００４３】
この定規５の下端面（タイルと当接する面）は、前述の回転刃２ｂと直交するスライドプレート３ｂと略平行に、目地材Ｍ４がタイルＴの表面から凹んでいる分だけ下方（タイル側となる回転刃２ｂの半径方向外側）にずれて固定されている。このため、スライドプレート３ｂをタイルＴに当接させて回転刃２ｂがタイルＴの表面に対して垂直となった状態で、定規５が丁度タイル目地Ｍ１の目地材Ｍ４の表面に当接することとなる。
【００４４】
また、図４，図５に示すように、この定規５には、目盛が付けられている。このため、定規５の目盛から逆算して、現在回転刃２ｂで切削している溝の端部と既存のタイルＴとの距離を確認することができる。このため、タイル目地切削装置１によれば、回転刃２ｂがタイルＴと接触して傷つけるおそれをさらに低減することができる。勿論、この目盛は、なくても良いことは云うまでもない。
【００４５】
次に、図１，図７を用いて、タイル目地切削装置１の使用方法を簡単に説明する。図７は、タイル目地切削装置１の使用状態を示す使用状態説明図である。
【００４６】
（間隔調整）
先ず、前述の間隔調整機構４を用いて、回転刃２ｂと定規５との離間距離を調整する。具体的には、既存タイルＴのタイル目地Ｍ１の芯−芯間の距離に、図１の一点鎖線で示す回転刃２ｂの芯と定規５の軸芯との距離が一致するように調整する。
【００４７】
電動カッターは、回転刃２ｂが切削の進行に従って損耗してドーナツ状の径が小さくなる。このため、一般に、市販の電動カッターは、回転刃２ｂでの切削深さを調節できるように、回電動カッター本体２とスライドプレート３ｂを有するカバー３とが揺動自在に取り付けられている。そのため、回転刃２ｂとカバー３の側面とは、常に平行になっているとは限られず、狂いが生じるおそれがある。しかし、タイル目地切削装置１では、間隔調整機構４でその狂いを訂正して、回転刃２ｂと定規５との離間距離を調整することができる。
【００４８】
また、前述のように、タイル目地切削装置１では、突出片４１，４１と接続プレート４２，４２とが、カムレバー４３，４３を介して接続固定されているので、間隔調整機構４による間隔調整が極めて短時間で行うことができる。なお、前記距離に応じて、回転刃２ｂに嵌め込んで定規５の側端までの長さとなる調整治具（図示せず）を製作しておくと、この間隔調整機構４による間隔調整作業をさらに短時間で行うことができるため好ましい。
【００４９】
（切削）
次に、図７に示すように、切削するタイル目地Ｍ１と隣接する一本隣のタイル目地Ｍ１に定規５をあてがって嵌め込み、タイル目地切削装置１をセットする。その後、電動カッター本体２を作動させるだけで、タイル目地Ｍ１に沿って、ブレることなく真っすぐに壁面Ｗ近傍まで貼付モルタルＭ３に溝Ｍ２を切削することができる（図１０も参照）。
【００５０】
［第２実施形態］
次に、図８，図９を用いて、本発明の第２実施形態に係るタイル剥離装置用タイル目地切削装置１’（以下単にタイル目地切削装置という）について説明する。図８は、本発明の第２実施形態に係るタイル目地切削装置１’を示す下方から見上げた斜視図であり、図９は、タイル目地切削装置１’の使用状態を示す使用状態説明図である。第２実施形態に係るタイル目地切削装置１’が、前述の第１実施形態に係るタイル目地切削装置１と相違する主な点は、間隔調整機構４が設けられていな点である。よって、同一構成は、同一符号を付し、説明を省略する。
【００５１】
図８に示すように、第２実施形態に係るタイル目地切削装置１’は、タイル目地切削装置１と同様に、市販の電動カッターである電動カッター本体２と、この電動カッター本体２を覆うカバー３と、を備えている。
【００５２】
しかし、タイル目地切削装置１’では、このカバー３に一対の突出片であるボルト４１’，４１’が突設され、これらのボルト４１’，４１’に矩形平板状の一対の接続プレート４２’，４２’が長孔を介さず、接続プレート４２’の板面がボルト４１’の軸方向に直交する形でボルト止めされている。
【００５３】
突出片であるボルト４１’は、図８に示すように、一般的な六角ボルトであり、前述のカバー３の覗き窓の固定用の雌ねじ部に直接ボルト止めされている。
【００５４】
また、図示形態の接続プレート４２’は、平板状の金属プレートからなり、突端（下端）が前述の定規５に接合されている。接続プレート４２’と定規５との接合も、溶接でもよいし、接続プレート４２’と定規５とを、一枚の金属プレートから切り出して曲げ加工することにより、形成しても構わない。
【００５５】
以上のように、タイル目地切削装置１’では、回転刃２ｂと定規５との間隔は、調整することができない。しかし、回転刃２ｂとカバー３の側面とが、平行になって狂いが生じていなければ、回転刃２ｂと定規５との間隔を調整する必要はない。よって、治具等により回転刃２ｂとカバー３の側面との平行を保てば、タイル目地切削装置１’でも充分にタイル目地Ｍ１に沿って真っすぐに切削することが可能である。
【００５６】
また、タイル目地切削装置１’は、カムレバー４３のような間隔調整機構４が設けられておらず、タイル目地切削装置１と比べて安価に製造することができる。その上、タイル目地切削装置１’は、定規５の支持機構が、ボルト４１’と接続プレート４２’というシンプルな構成のため、耐衝撃性や耐久性が高いものとなっている。
【００５７】
前述のように、タイル目地切削装置１’では、間隔調整は必要ないため、図９に示すように、切削するタイル目地Ｍ１と隣接する一本隣のタイル目地Ｍ１に定規５をあてがって嵌め込み、タイル目地切削装置１’をセットする。その後、電動カッター本体２を作動させるだけで、タイル目地Ｍ１に沿って、ブレることなく真っすぐに壁面Ｗ近傍まで貼付モルタルＭ３に溝Ｍ２を切削することができる（図１０も参照）。
【００５８】
以上説明した第１実施形態に係るタイル目地切削装置１及び第２実施形態に係るタイル目地切削装置１’によれば、既存建築物に貼り付けられたタイルＴを剥離するタイル剥離装置１０を使用するにあたって、既存のタイル目地に沿って回転刃２ｂで貼付モルタルＭ３等を切削して溝Ｍ２を形成する際に、回転刃２ｂがタイルＴと接触して傷つけることなく誰でも簡単に施工することができる。
【００５９】
また、タイル目地切削装置１及びタイル目地切削装置１’によれば、定規５に目盛が付けられているので、定規５の目盛から回転刃２ｂで切削している溝Ｍ２の端部と既存のタイルＴとの距離が確認し易く、回転刃２ｂがタイルＴと接触して傷つけるおそれをさらに低減することができる。
【００６０】
そして、第１実施形態に係るタイル目地切削装置１によれば、定規５が回転刃２ｂからの離間距離が間隔調整機構４により調整自在となっている。このため、揺動する電動カッター本体２とカバー３との位置関係がずれたような場合でも、定規５と回転刃２ｂとの間隔を調整して既存のタイル目地Ｍ１に沿って溝Ｍ２を真っすぐに切削することができる。
【００６１】
その上、第１実施形態に係るタイル目地切削装置１によれば、定規５がカムレバー４３により締付又は弛緩自在に固定されているので、定規５と回転刃２ｂとの間隔の調整が極めて短時間で行うことができる。
【００６２】
以上、本発明の第１実施形態に係るタイル目地切削装置１及び第２実施形態に係るタイル目地切削装置１’について詳細に説明した。しかし、前述した又は図示した実施形態は、いずれも本発明を実施するにあたって具体化した一実施形態を示したものに過ぎず、これらによって本発明の技術的範囲が限定的に解釈されてはならないものである。
【符号の説明】
【００６３】
１，１’：タイル目地切削装置（タイル剥離装置用タイル目地切削装置）
２：電動カッター本体
２ａ：スピンドル
２ｂ：回転刃
３：カバー
３ａ：排塵ダクト
３ｂ：スライドプレート
４：間隔調整機構
４１：突出片（間隔調整機構）
４２：接続プレート（間隔調整機構）
４３：カムレバー（間隔調整機構）
４４：突出片体（間隔調整機構）
４１’：ボルト（突出片）
４２’：接続プレート
５：定規
１０：タイル剥離装置
２０：把持機構
２１：回動ボルト
２２：上プレート
２３：下プレート
３０：トルクレンチ
４０：取っ手
Ｓ：コイルスプリング（ばね材）
Ｍ１：タイル目地
Ｍ２：溝
Ｍ３：貼付モルタル（モルタル）
Ｍ４：目地材（目地モルタル）
Ｔ：タイル
Ｗ：壁面
【要約】
【課題】回転刃が接触してタイルを破損することなく誰でも簡単にタイル目地に沿ってモルタル等に切削溝を形成することができるタイル目地切削装置を提供する。
【解決手段】一対のプレート２２，２３でタイルＴの端面同士を把持したままこじって引き剥がすタイル剥離装置１０のプレート２２，２３を差し込むための溝Ｍ２をタイル目地Ｍ１に沿って切削するタイル剥離装置用タイル目地切削装置１において、回転するスピンドル２ａを有する電動カッター本体２と、この電動カッター本体２のスピンドル２ａに装着されたダイヤモンドカッターなどの回転刃２ｂと、この回転刃２ｂを覆うカバー３と、を備え、カバー３に、回転刃２ｂに沿った前後方向の端部にスピンドル２ａの軸方向に突出した突出片４１を前後一対固着し、これらの前後一対の突出片４１に、タイル目地Ｍ１に嵌まり込む断面逆台形状の定規５を架け渡して固定支持する。
【選択図】図１【図１】
0006719138.tif 000002
【図２】
0006719138.tif 000003
【図３】
0006719138.tif 000004
【図４】
0006719138.tif 000005
【図５】
0006719138.tif 000006
【図６】
0006719138.tif 000007
【図７】
0006719138.tif 000008
【図８】
0006719138.tif 000009
【図９】
0006719138.tif 000010
【図１０】
0006719138.tif 000011
【図１１】
0006719138.tif 000012
【図１２】
0006719138.tif 000013